(57)【要約】      （修正有）【課題】太陽光パネルが数多く大規模な場合であっても太陽光パネル面上に降り注ぎ流下する大量の雨水を円滑に処理する太陽光パネルの雨水回収装置を提供する。【解決手段】太陽光パネルの雨水回収装置１は、設置面２に配置した架台１１と、架台１１上に傾斜配置された太陽光パネルＳと、太陽光パネルＳ面を流下する雨水Ｗの流出側に配置した雨水用の樋ユニット２１と、を有し、樋ユニット２１は、架台１１により支持され太陽光パネルＳに沿って配置されるとともに、太陽光パネルＳ面を流下する雨水Ｗを受水し、樋底部の途中位置に設けた穴部から雨水を下方に流下させる上樋３１と、上樋３１の下方に配置され、上樋３１の穴部から流下する雨水Ｗを受水するとともに、長さ方向最頂部からその両側端の長さ方向最低部に向かって双方向下降傾斜形状とし、長さ方向最低部側から雨水を放水する構造の下樋４１と、下樋４１を定位置で支持する下樋支持部５１と、を具備するものである。【選択図】図１
0003229249.tif 000002
【実用新案登録請求の範囲】
【請求項１】
設置面に配置した架台と、
前記架台上に傾斜配置された太陽光パネルと、
前記太陽光パネル面を流下する雨水の流出側に配置した雨水用の樋ユニットと、
を有し、
前記樋ユニットは、
前記架台により支持され前記太陽光パネルに沿って配置されるとともに、前記太陽光パネル面を流下する雨水を受水し、樋底部の途中位置に設けた単数又は複数の穴部から雨水を下方に流下させる上樋と、
前記上樋の下方に配置され、前記上樋の穴部から流下する雨水を受水するとともに、長さ方向最頂部からその両側端の長さ方向最低部に向かって双方向下降傾斜形状とし、長さ方向最低部側から雨水を放水する構造の下樋と、
前記下樋を、定位置で支持する下樋支持部と、を具備し、
前記上樋を経て下樋から放水される雨水を貯水池又は排水用側溝に向け送水するようにしたことを特徴とする太陽光バネルの雨水回収装置。
【請求項２】
設置面に配置した架台と、
前記架台上にＸ方向に３６枚、Ｙ方向に４枚、合計１４４枚の傾斜列設配置された太陽光パネルと、
前記太陽光パネル面を流下する雨水の流出側に配置した雨水用の樋ユニットと、
を有し、
前記樋ユニットは、
前記架台により支持され最下部のＸ方向３６枚の太陽光パネルに沿って配置されるとともに、前記各太陽光パネル面を流下する雨水を受水し、樋底部の途中位置に設けた単数又は複数の穴部から雨水を下方に流下させる上樋と、
前記上樋の下方に配置され、前記上樋の穴部から流下する雨水を受水するとともに、長さ方向最頂部からその両側端の長さ方向最低部に向かって双方向下降傾斜形状とし、長さ方向最低部側から雨水を放水する構造を長さ方向に３連設し、長さ方向両端部側の２個所、及び、長さ方向中間部の２個所の合計４箇所から雨水を放水する構造の下樋と、
前記下樋を、定位置で支持する下樋支持部と、を具備し、
前記上樋を経て下樋から放水される雨水を貯水池又は排水用側溝に向け送水するようにしたことを特徴とする太陽光バネルの雨水回収装置。
【請求項３】
設置面に配置した設置高さの低い架台と、
前記架台上にＸ方向に１２枚、Ｙ方向に４枚、合計４８枚の傾斜列設配置された太陽光パネルと、
前記太陽光パネル面を流下する雨水の流出側に配置した雨水用の樋ユニットと、
を有し、
前記樋ユニットは、
前記太陽光パネルに沿って配置されるとともに、前記太陽光パネル面を流下する雨水を受水し、両端部側から雨水を放水する平坦構造の下樋と、
前記下樋を、定位置で支持する下樋支持部と、を具備し、
前記下樋の両端部側から放水される雨水を貯水池又は排水用側溝に向け送水するようにしたことを特徴とする太陽光バネルの雨水回収装置。
【請求項４】
前記上樋、下樋は、弧状断面形状又は角形断面形状で略同一形状に形成されていることを特徴とする請求項１乃至３のいずれかに記載の太陽光バネルの雨水回収装置。
【請求項５】
前記上樋と、前記太陽光パネルの下側端辺との間に隙間が生じる場合、当該隙間を隙間遮蔽部材で閉塞する構成としていることを特徴とする請求項１又は２のいずれかに記載の太陽光バネルの雨水回収装置。
【請求項６】
前記上樋は、前記太陽光パネルの下側端辺に沿う側壁部よりも反対側の側壁部に忍び返、し形態の突片部を備えていることを特徴とする請求項１、２、４、５のいずれかに記載の太陽光バネルの雨水回収装置。
【請求項７】
前記上樋の樋底部の穴部は、大きめに設定されていることを特徴とする請求項１、２、４、５、６のいずれかに記載の太陽光バネルの雨水回収装置。
【請求項８】
前記下樋支持部を構成する下樋支持基台は、設置箇所の土中埋め込み型又は設置箇所に対するコンクリート固め設置型に構成していることを特徴とする請求項１乃至４のいずれかに記載の太陽光バネルの雨水回収装置。
【考案の詳細な説明】
【技術分野】
【０００１】  本考案は、太陽光バネルの雨水回収装置に関するものである。
【背景技術】
【０００２】  例えば山間部に設置した太陽光発電装置における太陽光パネルの面に爾が降った際、地面の同じ個所に雨水が落ちるため、地盤が緩くなってしまうことがある。【０００３】  そのため雨水を完全回取する雨樋の設置が肝要となる。【０００４】  特許文献１には、架台と、第１辺および該第１辺に対向する第２辺を有し、前記第１辺が前記第２辺よりも下方に位置するように傾斜して前記架台上に配置された矩形状の太陽電池パネルと、前記第１辺よりも下方に位置し、前記架台に取り付けられた集水部材と、を備え、前記集水部材は、前記第１辺に沿って延びる凹部を有する第１集水部と、前記第１辺に沿って並んで前記第１集水部に設けられた複数の第１排水部と、を有し、太陽電池パネル上の雨水を集水して、設置面に対して分散させて排水するようにした太陽電池装置が開示されている。【０００５】  しかし、特許文献１の太陽電池装置の場合、前記集水部材は一段の樋構造であり、このような構成の場合、太陽電池装置を大規模化した場合太陽電池パネル面上に降り注ぎ流下する大量の雨水を円滑に処理することは困難であると推定される。
【先行技術文献】
【特許文献】
【０００６】
【特許文献１】特開２０１６−２０８７１６号公報
【考案の概要】
【考案が解決しようとする課題】
【０００７】  本考案は、上記事情に鑑みて、二段の樋構造を採用し、太陽光パネルが数多く大規模な場合であっても太陽光パネル面上に降り注ぎ流下する雨水を円滑に処理することが可能な太陽光バネルの雨水回収装置を提供するものである。
【課題を解決するための手段】
【０００８】  本考案に係る太陽光バネルの雨水回収装置は。設置面に配置した架台と、前記架台上に傾斜配置された太陽光パネルと、前記太陽光パネル面を流下する雨水の流出側に配置した雨水用の樋ユニットと、を有し、前記樋ユニットは、前記架台により支持され前記太陽光パネルに沿って配置されるとともに、前記太陽光パネル面を流下する雨水を受水し、樋底部の途中位置に設けた単数又は複数の穴部から雨水を下方に流下させる上樋と、前記上樋の下方に配置され、前記上樋の穴部から流下する雨水を受水するとともに、長さ方向最頂部からその両側端の長さ方向最低部に向かって双方向下降傾斜形状とし、長さ方向最低部側から雨水を放水する構造の下樋と、前記下樋を、定位置で支持する下樋支持部と、を具備し、前記上樋を経て下樋から放水される雨水を貯水池又は排水用側溝に向け送水するようにしたことを最も主要な特徴とする。
【考案の効果】
【０００９】  請求項１記載の考案によれば、二段の樋構造を採用し、太陽光パネル面上に降り注ぎ流下する雨水を円滑に処理することが可能な太陽光バネルの雨水回収装置を提供することができる。【００１０】  請求項２記載の考案によれば、二段の樋構造を採用し、太陽光パネルが数多く大規模な構成の場合であっても太陽光パネル面上に降り注ぎ流下する大量の雨水を円滑に処理することが可能な太陽光バネルの雨水回収装置を提供することができる。【００１１】  請求項３記載の考案によれば、比較的雨量の少ない場所向けに設置された太陽光発電手段用として太陽光パネルの面上を流下する雨水を円滑に処理することが可能な太陽光バネルの雨水回収装置を提供することができる。【００１２】  請求項４記載の考案によれば、請求項１乃至３のいずれかに記載の考案の効果を奏し、かつ、前記上樋、下樋は、弧状断面形状又は角形断面形状で略同一形状に形成されていることから、上樋、下樋製作時のコスト低減を図ることもできる太陽光バネルの雨水回収装置を提供することができる。【００１３】  請求項５記載の考案によれば、求項１又は２のいずれかに記載の考案の効果を奏し、かつ、前記上樋と、前記太陽光パネルの下側端辺との間に隙間が生じる場合、当該隙間を隙間遮蔽部材で閉塞する構成としているので、上樋と、太陽光パネルの下側端辺との間における漏水防止を図ることができる太陽光バネルの雨水回収装置を提供することができる。【００１４】  請求項６記載の考案によれば、請求項１、２、４、５のいずれかに記載の考案の効果を奏し、かつ、上樋は、前記太陽光パネルの下側端辺に沿う側壁部よりも反対側の側壁部に忍び返し形態の突片部を備えているので、雨量が多い場合でも上樋からの雨水の溢出防止を図ることができる太陽光バネルの雨水回収装置を提供することができる。【００１５】  請求項７記載の考案によれば、請求項１、２、４、５、６のいずれかに記載の考案の効果を奏し、かつ、上樋の樋底部の穴部は、大きめに設定されていることから、枯葉等のゴミ類の詰まりを防止することができる太陽光バネルの雨水回収装置を提供することができる。【００１６】  請求項８記載の考案によれば、請求項１乃至４のいずれかに記載の考案の効果を奏し、かつ、下樋支持部を構成する下樋支持基台は、設置箇所の土中埋め込み型又は設置箇所に対するコンクリート固め設置型に構成しているので、下樋を確実、安定に支持することが可能な太陽光バネルの雨水回収装置を提供することができる。
【図面の簡単な説明】
【００１７】
【図１】図１は本考案の実施例１に係る太陽光バネルの雨水回収装置の全体構成を示す概略斜視図である。
【図２】図２は本実施例１に係る太陽光バネルの雨水回収装置における樋ユニットの一例の概略断面図である。
【図３】図３は本実施例１に係る太陽光バネルの雨水回収装置における樋ユニットの他例の概略断面図である。
【図４】図４は本実施例１に係る太陽光バネルの雨水回収装置における上樋の一部を示す概部分平面図である。
【図５】図５は本実施例１に係る太陽光バネルの雨水回収装置における下樋支持部を構成する下樋支持基台の設置箇所への土中埋め込み型の構成を示す概略部分断面図である。
【図６】図６は本実施例１に係る太陽光バネルの雨水回収装置における下樋支持部を構成する下樋支持基台の設置箇所へのコンクリート固め設置型の構成を示す概略部分断面図である。
【図７】図７は本考案の実施例２に係る太陽光バネルの雨水回収装置の全体構成を示す概略斜視図である。
【図８】図８は本考案の実施例１の変形例に係る太陽光バネルの雨水回収装置の全体構成を示す概略斜視図である。
【考案を実施するための形態】
【００１８】  本考案は、二段の樋構造を採用し、太陽光パネルが数多く大規模な場合であっても太陽光パネル面上に降り注ぎ流下する大量の雨水を円滑に処理することが可能な太陽光バネルの雨水回収装置を提供するという目的を、設置面に配置した架台と、前記架台上にＸ方向に３６枚、Ｙ方向に４枚、合計１４４枚の傾斜列設配置された太陽光パネルと、前記太陽光パネル面を流下する雨水の流出側に配置した雨水用の樋ユニットと、を有し、前記樋ユニットは、前記架台により支持され最下部のＸ方向３６枚の太陽光パネルに沿って配置されるとともに、前記各太陽光パネル面を流下する雨水を受水し、樋底部の途中位置に設けた単数又は複数の穴部から雨水を下方に流下させる上樋と、前記上樋の下方に配置され、前記上樋の穴部から流下する雨水を受水するとともに、長さ方向最頂部からその両側端の長さ方向最低部に向かって双方向下降傾斜形状とし、長さ方向最低部側から雨水を放水する構造を長さ方向に３連設し、長さ方向両端部側の２個所、及び、長さ方向中間部の２個所の合計４箇所から雨水を放水する構造の下樋と、前記下樋を、定位置で支持する下樋支持部と、具備し、前記上樋を経て下樋から放水される雨水を貯水池又は排水用側溝に向け送水するようにした構成により実現した。
【実施例】
【００１９】  以下に図面を参照して、本考案の実施例に係る太陽光バネルの雨水回収装置について詳細に説明する。
【実施例１】
【００２０】  本考案の実施例１に係る太陽光バネルＳの雨水回収装置１について図１乃至図６を参照して説明する。【００２１】  尚、本実施例１においては設置面２におけるＸ方向、Ｙ方向に関する方向性を図１に示すように定義して以下の説明を行う。【００２２】  本実施例１に係る太陽光バネルＳの雨水回収装置１は、図１に示すように、例えば山間部の傾斜地のような設置面２に配置した架台１１と、前記架台１１上においてＸ方向に１２枚、Ｙ方向に４枚、合計４８枚列設状態に傾斜配置された太陽光パネルＳと、前記太陽光パネル面を流下する雨水の流出側に配置した雨水用の樋ユニット２１と、を有している。【００２３】  前記架台１１は、所要数の架台支持台１２を設置面２上に間隔をもって点在配置し、各架台支持台１２から所要数の架台支柱１３を上方に突設配置し、をさらに各架台支柱１３の上端部に架台板１４を取り付けて構成し、この架台板１４上に合計４８枚の太陽光バネルＳを列設配置することにより構成している。【００２４】  前記各太陽光バネルＳの隣接する領域（目地領域）にはシーリング加工を施し、又は、アルミニウム材で目張り加工を施して、漏水を防止している。【００２５】  次に、前記樋ユニット２１の各部について図２乃至図６をも参照して説明する。【００２６】  前記樋ユニット２１は、前記架台１１により支持された前記各太陽光パネルＳに沿って配置されるとともに、前記太陽光パネルＳの面（上面）を流下する雨水Ｗ（図１において白抜き矢印で示す）を受水し、樋底部の途中位置に設けた図４に示すような複数又は単数の穴部３２、樋底部から下方に突設した複数又は単数の放水筒３３から雨水Ｗを下方に流下させる断面円弧状（又は角形状）とした上樋３１と、前記上樋３１の下方に配置され、前記上樋３１の穴部３２から流下する雨水Ｗを受水するとともに、長さ方向最頂部からその両側端の長さ方向最低部に向かって双方向下降傾斜形状とし、長さ方向最低部側から放水筒体４２を経て雨水Ｗを放水する構造の下樋４１と、前記下樋４１を定位置で支持する下樋支持台５２、下樋支持支柱５３を具備する下樋支持部５１と、具備し、前記上樋３１を経て下樋４１の長さ方向最低部側に設けた放水筒体４２から放水される雨水Ｗを図示しないが貯水池又は排水用側溝に向け送水するように構成している。【００２７】  尚、前記上樋３１は、前記下樋支持部５１の荷重負担軽減のため、図２に示すように、前記架台１１における架台支柱１３と連結部材３４により連結され、これにより、前記架台１１により支持されるように構成している。【００２８】  前記樋ユニット２１についてさらに詳述する。【００２９】  前記上樋３１においては、この上樋３１の前記太陽光パネルＳの下側端辺（前記架台板１４の下側端辺１４ａ）に沿う弧状を呈する側壁部３２ａよりも反対側の弧状を呈する側壁部３２ｂをより大きく反り返し、側壁部３２ｂの突出端側に忍び返し形態の突片部３２ｃを形成し、これにより、前記各太陽光パネルＳの上面を流下する雨水Ｗの流量が大量であるような場合に、その雨水Ｗが上樋３１の側壁部３２ｂから外方に（図１において手前側）に溢出することを防止している。【００３０】  また、前記上樋３１においては、この上樋３��の前記太陽光パネルＳの下側端辺（前記架台板１４の下側端辺１４ａ）に沿う弧状を呈する側壁部３２ａ突出端と前記架台板１４の下側端辺１４ａとの間に隙間３５が生じる場合、当該隙間３５を例えば防水ゴム材等からなる隙間遮蔽部材３６で閉塞する構成とし、前記太陽光パネルＳの上面を流下する雨水Ｗが円滑に下樋４１内に流れるようにしている。【００３１】  さらに付言すると、太陽光パネルＳの配列がＸ方向に長く面積が広い広い場合、雨水量が大量に増えるため、高所から低所に流れる雨水Ｗの性質上、排水を効率よくするためには上樋３１の勾配を忖ける必要があるが、太陽光パネルＳの配列が長い場合、上樋３１も必然的に長くなり、排水溝近くでは太陽光パネルＳの端面と上樋３１との間に大きな隙間３５ができてしまい、雨水Ｗの完全回収が難錐しくなることから前記隙間遮蔽部材３６を含め樋二段構造を採用するものである。【００３２】  図３は前記樋ユニット２１の変形例である樋ユニット２１Ａを示すものであり、この樋ユニット２１Ａは、上樋３１Ｃ、下樋４１Ｃをいずれも断面角形状に構成し、前記上樋３１Ｃにおける両側壁部３２ａ１、３２ｂ１のうち、この上樋３１Ｃの前記太陽光パネルＳを支持する架台板１４の下側端辺１４ａに沿う側壁部３２ａ１よりも反対側の側壁部３２ｂ１の垂直方向の寸法を図３に示すように大きく設定して忍び返し機能を発揮するように構成し、これにより、前記各太陽光パネルＳの上面を流下する雨水Ｗの流量が大量であるような場合に、その雨水Ｗが上樋３１Ｃの側壁部３２ｂ１から外方に（図１において手前側）に溢出することを防止している。【００３３】  尚、前記樋ユニット２１Ａの場合においても、必要に応じて隙間遮蔽部材３６を配置することは、前記樋ユニット２１の場合と同様である。【００３４】  図４は、前記上樋３１における穴部３２の形状及び間隔の形成例を示すものであり、例えば穴部３２の形状は長径１５ｃｍ程度のやや大きめの楕円形状とした例を、また、穴部３２の配置間隔は約１ｍ間隔とした例を挙げることができる。【００３５】  これにより、前記上樋３１の穴部３２が例えば枯葉等のゴミ類で詰まり、雨水Ｗが溢出する事を回避することが可能となる。【００３６】  図５、図６は、前記下樋支持部５１を構成する下樋支持基台５２の設置構成例を示すものであり、図５に示すように前記下樋支持基台５２を設置面２内への土中埋め込み型としたり、図６に示すように前記下樋支持基台５２を設置面２上にコンクリート塊５４を設置しこのコンクリート塊５４により前記下樋支持基台５２を支持するコンクリート固め設置型とする例を挙げることこができる。【００３７】  このような前記下樋支持部５１における下樋支持基台５２の設置構成により、前記下樋４１を確実かつ安定して支持することができる。後述する実施例２、実施例１の変形例においても同様である。【００３８】  前記上樋３１、下樋４１、上樋３１Ｃ、下樋４１Ｃは、弧状断面形状、又は、角形断面形状で略同一形状に形成し、これにより、前記上樋３１、下樋４１、上樋３１Ｃ、下樋４１Ｃの製作時の製作コストの低減を図っている。
【実施例２】
【００３９】  次に、本考案の実施例２に係る太陽光バネルＳの雨水回収装置１Ａについて図７を参照して説明する。【００４０】  尚、本実施例２に係る太陽光バネルＳの雨水回収装置１Ａにおいて、実施例１の場合と同一の要素については同一の符号を付し、その詳細説明は省略する。【００４１】  本実施例２に係る太陽光バネルＳの雨水回収装置１Ａは、基本的構成は実施例１の場合と同様であるが、全体構成を大規模化し、架台１１Ａ上にＸ方向に３６枚、Ｙ方向に４枚、合計１４４枚の太陽光パネルＳを傾斜列設配置したこと、樋ユニット２１Ｂとして、前記架台１１Ａにより支持され最下部のＸ方向３６枚の太陽光パネルＳに沿って配置されるとともに、前記各太陽光パネルＳ面を流下する雨水を受水し、樋底部の途中位置に設けた複数の穴部３２（図７においては図示せず）から雨水を下方に流下させる上樋３１Ａと、前記上樋３１Ａの下方に配置され、前記上樋３１Ａの各穴部から流下する雨水を受水するとともに、長さ方向最頂部からその両側端の長さ方向最低部に向かって双方向下降傾斜形状とし、長さ方向最低部側から雨水Ｗを放水する構造を長さ方向に３連設し、長さ方向両端部側の２個所、及び、長さ方向中間部の２個所の合計４箇所に放水筒体４２を配置して、各放水筒体４２から雨水Ｗを図示しないが貯水池又は排水用側溝に向け送水するように構成の下樋４１Ａと、前記下樋４１Ａを定位置で支持する下樋支持部５１Ａと、具備する構成としたこと、が特徴である。【００４２】  細部の構成要素の構成及び作用効果は実施例１の場合と同様である。【００４３】  本実施例２に係る太陽光バネルＳの雨水回収装置１Ａによれば、架台１１Ａ上にＸ方向に３６枚、Ｙ方向に４枚、合計１４４枚の太陽光パネルＳを傾斜列設配置した大規模化した太陽光発電手段において、大量の太陽光パネルＳの面上を流下する大量の雨水を確実に回収することができる。【００４４】（実施例１の変形例）
本考案の実施例１の変形例に係る太陽光バネルＳの雨水回収装置１Ｂについて図８を参照して説明する。
尚、実施例１の変形例に係る太陽光バネルＳの雨水回収装置１Ｂにおいて、実施例１の場合と同一の要素については同一の符号を付し、その詳細説明は省略する。【００４５】    実施例１の変形例に係る太陽光バネルＳの雨水回収装置１Ｂは、基本的構成は実施例１の場合と同様であるが、架台板１４の設置面２からの設置高さＨ２が実施例１の場合に比べ低い（実施例１の場合にはＨ１：Ｈ２＜Ｈ１）構成を採用するとともに、樋ユニット２１Ｂとして、１段構成構成を採用したことが特徴である。【００４６】  細部の構成要素の構成及び作用効果は実施例１の場合と同様である。【００４７】  すなわち、実施例１の変形例に係る太陽光バネルＳの雨水回収装置１Ｂにおいては、実施例１の下樋４１に近似した構成ではあるが最下部の各太陽光パネルＳ面に沿って配置されるとともに、前記各太陽光パネルＳ面を流下する雨水Ｗを受水し、両端部側に設けた放水筒体４２から前記雨水Ｗを図示しないが貯水池又は排水用側溝に向け送水する平坦構造の下樋４１Ｂと、前記下樋４１Ｂを定位置で支持する下樋支持部５１Ｂと、を具備する構成としている。【００４８】  実施例１の変形例に係る太陽光バネルＳの雨水回収装置１Ｂによれば、比較的雨量の少ない場所向けに設置された太陽光発電手段用として太陽光パネルＳの面上を流下する雨水Ｗを確実に回収することができる。【００４９】  以上説明した実施例１、２、及び、実施例１の変形例における太陽光パネルＳの配列個数は各々一例であり、特に限定するものでないことはもちろんである。【００５０】  以上説明した本実施例１、２、及び、実施例１の変形例に係る太陽光バネルＳの雨水回収装置１、１Ａ、１Ｂによれば、二段の樋構造又は一段の樋構造を採用し、これにより、太陽光パネルＳが列設個数が少ない小規模の場合はもちろんのこと、太陽光パネルＳの列設個数が多く大規模な場合であっても、雨雲６１から各太陽光パネルＳの上面に降り注ぎ流下する大量の又は少量の雨水Ｗを円滑に集水処理し回収することが可能となる。
【産業上の利用可能性】
【００５１】  本考案の太陽光バネルの雨水回収装置は、既述したような山間地に構築する場合はもちろんのこと、市街地や丘陵地に構築する場合においても有効に利用可能である。
【符号の説明】
【００５２】    １    太陽光パネルの雨水回収装置
１Ａ  太陽光パネルの雨水回収装置
１Ｂ  太陽光パネルの雨水回収装置
２    設置面
１１    架台
１１Ａ  架台
１２    架台支持台
１３    架台支柱
１４    架台板
１４ａ  下側端辺
２１    樋ユニット
２１Ａ  樋ユニット
２１Ｂ  樋ユニット
２１Ｃ  樋ユニット
３１    上樋
３１Ａ  上樋
３１Ｃ  上樋
３２    穴部
３２ａ  側壁部
３２ａ１側壁部
３２ｂ  側壁部
３２ｂ１側壁部
３２ｃ  突片部
３３    放水筒
３４    連結部材
３５    隙間
３６    隙間遮蔽部材
４１    下樋
４１Ａ  下樋
４１Ｂ  下樋
４１Ｃ  下樋
４２    放水筒体
５１    下樋支持部
５１Ａ  下樋支持部
５１Ｂ  下樋支持部
５２    下樋支持基台
５３    下樋支持支柱
５４    コンクリート塊
６１    雨雲
Ｓ    太陽光パネル
Ｗ    雨水
【図１】
0003229249.tif 000003
【図２】
0003229249.tif 000004
【図３】
0003229249.tif 000005
【図４】
0003229249.tif 000006
【図５】
0003229249.tif 000007
【図６】
0003229249.tif 000008
【図７】
0003229249.tif 000009
【図８】
0003229249.tif 000010
【手続補正書】
【提出日】令和2年5月15日(2020.5.15)
【手続補正１】
【補正対象書類名】実用新案登録請求の範囲
【補正対象項目名】全文
【補正方法】変更
【補正の内容】
【実用新案登録請求の範囲】
【請求項１】
設置面に配置した架台と、
前記架台上に傾斜配置された太陽光パネルと、
前記太陽光パネル面を流下する雨水の流出側に配置した雨水用の樋ユニットと、
を有し、
前記樋ユニットは、
前記架台により支持され前記太陽光パネルに沿って配置されるとともに、前記太陽光パネル面を流下する雨水を受水し、樋底部の途中位置に設けた単数又は複数の穴部から雨水を下方に流下させる上樋と、
前記上樋の下方に配置され、前記上樋の穴部から流下する雨水を受水するとともに、長さ方向最頂部からその両側端の長さ方向最低部に向かって双方向下降傾斜形状とし、長さ方向最低部側から雨水を放水する構造の下樋と、
前記下樋を、定位置で支持する下樋支持部と、を具備し、
前記上樋を経て下樋から放水される雨水を貯水池又は排水用側溝に向け送水するようにしたことを特徴とする太陽光バネルの雨水回収装置。
【請求項２】
設置面に配置した架台と、
前記架台上にＸ方向に３６枚、Ｙ方向に４枚、合計１４４枚の傾斜列設配置された太陽光パネルと、
前記太陽光パネル面を流下する雨水の流出側に配置した雨水用の樋ユニットと、
を有し、
前記樋ユニットは、
前記架台により支持され最下部のＸ方向３６枚の太陽光パネルに沿って配置されるとともに、前記各太陽光パネル面を流下する雨水を受水し、樋底部の途中位置に設けた単数又は複数の穴部から雨水を下方に流下させる上樋と、
前記上樋の下方に配置され、前記上樋の穴部から流下する雨水を受水するとともに、長さ方向最頂部からその両側端の長さ方向最低部に向かって双方向下降傾斜形状とし、長さ方向最低部側から雨水を放水する構造を長さ方向に３連設し、長さ方向両端部側の２個所、及び、長さ方向中間部の２個所の合計４箇所から雨水を放水する構造の下樋と、
前記下樋を、定位置で支持する下樋支持部と、を具備し、
前記上樋を経て下樋から放水される雨水を貯水池又は排水用側溝に向け送水するようにしたことを特徴とする太陽光バネルの雨水回収装置。
【請求項３】
設置面に配置した設置高さの低い架台と、
前記架台上にＸ方向に１２枚、Ｙ方向に４枚、合計４８枚の傾斜列設配置された太陽光パネルと、
前記太陽光パネル面を流下する雨水の流出側に配置した雨水用の樋ユニットと、
を有し、
前記樋ユニットは、
前記太陽光パネルに沿って配置されるとともに、前記太陽光パネル面を流下する雨水を受水し、両端部側から雨水を放水する平坦構造の下樋と、
前記下樋を、定位置で支持する下樋支持部と、を具備し、
前記下樋の両端部側から放水される雨水を貯水池又は排水用側溝に向け送水するようにしたことを特徴とする太陽光バネルの雨水回収装置。
【請求項４】
前記上樋、下樋は、弧状断面形状又は角形断面形状で略同一形状に形成されていることを特徴とする請求項１又は２のいずれかに記載の太陽光バネルの雨水回収装置。
【請求項５】
前記上樋と、前記太陽光パネルの下側端辺との間に隙間が生じる場合、当該隙間を隙間遮蔽部材で閉塞する構成としていることを特徴とする請求項１又は２のいずれかに記載の太陽光バネルの雨水回収装置。
【請求項６】
前記上樋は、前記太陽光パネルの下側端辺に沿う側壁部よりも反対側の側壁部に、前記太陽光パルの下側端辺側に向けて曲げた形態の突片部を備えていることを特徴とする請求項１、２、５のいずれかに記載の太陽光バネルの雨水回収装置。
【請求項７】
前記下樋支持部を構成する下樋支持基台は、設置箇所の土中埋め込み型又は設置箇所に対するコンクリート固め設置型に構成していることを特徴とする請求項１乃至３のいずれかに記載の太陽光バネルの雨水回収装置。
【手続補正２】
【補正対象書類名】明細書
【補正対象項目名】００１２
【補正方法】変更
【補正の内容】
【００１２】  請求項４記載の考案によれば、請求項１又は２のいずれかに記載の考案の効果を奏し、かつ、前記上樋、下樋は、弧状断面形状又は角形断面形状で略同一形状に形成されていることから、上樋、下樋製作時のコスト低減を図ることもできる太陽光バネルの雨水回収装置を提供することができる。
【手続補正３】
【補正対象書類名】明細書
【補正対象項目名】００１４
【補正方法】変更
【補正の内容】
【００１４】  請求項６記載の考案によれば、請求項１、２、５のいずれかに記載の考案の効果を奏し、かつ、上樋は、前記太陽光パネルの下側端辺に沿う側壁部よりも反対側の側壁部に、前記太陽光パルの下側端辺側に向けて曲げた形態の突片部を備えているので、雨量が多い場合でも上樋からの雨水の溢出防止を図ることができる太陽光バネルの雨水回収装置を提供することができる。
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】変更
【補正の内容】
【００１６】
請求項７記載の考案によれば、請求項１乃至４のいずれかに記載の考案の効果を奏し、かつ、下樋支持部を構成する下樋支持基台は、設置箇所の土中埋め込み型又は設置箇所に対するコンクリート固め設置型に構成しているので、下樋を確実、安定に支持することが可能な太陽光バネルの雨水回収装置を提供することができる。
【図面の簡単な説明】
【手続補正６】
【補正対象書類名】明細書
【補正対象項目名】００２９
【補正方法】変更
【補正の内容】
【００２９】  前記上樋３１においては、この上樋３１の前記太陽光パネルＳの下側端辺（前記架台板１４の下側端辺１４ａ）に沿う弧状を呈する側壁部３２ａよりも反対側の弧状を呈する側壁部３２ｂの上部に位置する前記太陽光パルの下側端辺側に向けて曲げた形態（忍び返し形態）の突片部３２ｃを形成し、これにより、前記各太陽光パネルＳの上面を流下する雨水Ｗの流量が大量であるような場合に、その雨水Ｗが上樋３１の側壁部３２ｂから外方に（図１において手前側）に溢出することを防止している。
【手続補正７】
【補正対象書類名】明細書
【補正対象項目名】００３２
【補正方法】変更
【補正の内容】
【００３２】  図３は前記樋ユニット２１の変形例である樋ユニット２１Ａを示すものであり、この樋ユニット２１Ａは、上樋３１Ｃ、下樋４１Ｃをいずれも断面角形状に構成し、前記上樋３１Ｃにおける両側壁部３２ａ１、３２ｂ１のうち、この上樋３１Ｃの前記太陽光パネルＳを支持する架台板１４の下側端辺１４ａに沿う側壁部３２ａ１よりも反対側の側壁部３２ｂ１の垂直方向の寸法を図３に示すように大きく設定して、これにより、前記各太陽光パネルＳの上面を流下する雨水Ｗの流量が大量であるような場合に、その雨水Ｗが上樋３１Ｃの側壁部３２ｂ１から外方に（図１において手前側）に溢出することを防止している。
【手続補正書】
【提出日】令和2年8月18日(2020.8.18)
【手続補正１】
【補正対象書類名】実用新案登録請求の範囲
【補正対象項目名】全文
【補正方法】変更
【補正の内容】
【実用新案登録請求の範囲】
【請求項１】
設置面に配置した架台と、前記架台上に傾斜配置された太陽光パネルと、
前記太陽光パネル面を流下する雨水の流出側に配置した雨水用の樋ユニットと、を有し、前記樋ユニットは、前記架台により支持され前記太陽光パネルに沿って配置されるとともに、前記太陽光パネル面を流下する雨水を受水し、樋底部の途中位置に設けた単数又は複数の穴部から雨水を下方に流下させる上樋と、前記上樋の下方に配置され、前記上樋の穴部から流下する雨水を受水するとともに、長さ方向最頂部からその両側端の長さ方向最低部に向かって双方向下降傾斜形状とし、長さ方向最低部側から雨水を放水する構造の下樋と、前記下樋を、定位置で支持する下樋支持部と、を具備し、前記上樋を経て下樋から放水される雨水を貯水池又は排水用側溝に向け送水するようにしたことを特徴とする太陽光パネルの雨水回収装置。
【請求項２】
設置面に配置した架台と、前記架台上にＸ方向に３６枚、Ｙ方向に４枚、合計１４４枚の傾斜列設配置された太陽光パネルと、前記太陽光パネル面を流下する雨水の流出側に配置した雨水用の樋ユニットと、を有し、前記樋ユニットは、前記架台により支持され最下部のＸ方向３６枚の太陽光パネルに沿って配置されるとともに、前記各太陽光パネル面を流下する雨水を受水し、樋底部の途中位置に設けた単数又は複数の穴部から雨水を下方に流下させる上樋と、前記上樋の下方に配置され、前記上樋の穴部から流下する雨水を受水するとともに、長さ方向最頂部からその両側端の長さ方向最低部に向かって双方向下降傾斜形状とし、長さ方向最低部側から雨水を放水する構造を長さ方向に３連設し、長さ方向両端部側の２個所、及び、長さ方向中間部の２個所の合計４箇所から雨水を放水する構造の下樋と、前記下樋を、定位置で支持する下樋支持部と、を具備し、
前記上樋を経て下樋から放水される雨水を貯水池又は排水用側溝に向け送水するようにしたことを特徴とする太陽光パネルの雨水回収装置。
【請求項３】
設置面に配置した設置高さの低い架台と、前記架台上にＸ方向に１２枚、Ｙ方向に４枚、合計４８枚の傾斜列設配置された太陽光パネルと、前記太陽光パネル面を流下する雨水の流出側に配置した雨水用の樋ユニットと、を有し、前記樋ユニットは、前記太陽光パネルに沿って配置されるとともに、前記太陽光パネル面を流下する雨水を受水し、両端部側から雨水を放水する平坦構造の下樋と、前記下樋を、定位置で支持する下樋支持部と、を具備し、前記下樋の両端部側から放水される雨水を貯水池又は排水用側溝に向け送水するようにしたことを特徴とする太陽光パネルの雨水回収装置。
【請求項４】
前記上樋、下樋は、弧状断面形状又は角形断面形状で略同一形状に形成されていることを特徴とする請求項１又は２のいずれかに記載の太陽光パネルの雨水回収装置。
【請求項５】
前記上樋と、前記太陽光パネルの下側端辺との間に隙間が生じる場合、当該隙間を隙間遮蔽部材で閉塞する構成としていることを特徴とする請求項１又は２のいずれかに記載の太陽光パネルの雨水回収装置。
【請求項６】
前記上樋は、前記太陽光パネルの下側端辺に沿う側壁部よりも反対側の側壁部に、前記太陽光パネルの下側端辺側に向けて曲げた形態の突片部を備えていることを特徴とする請求項１、２、５のいずれかに記載の太陽光パネルの雨水回収装置。
【請求項７】
前記下樋支持部を構成する下樋支持基台は、設置箇所の土中埋め込み型又は設置箇所に対するコンクリート固め設置型に構成していることを特徴とする請求項１乃至３のいずれかに記載の太陽光パネルの雨水回収装置。
【手続補正２】
【補正対象書類名】明細書
【補正対象項目名】全文
【補正方法】変更
【補正の内容】
【考案の詳細な説明】
【技術分野】
【０００１】  本考案は、太陽光パネルの雨水回収装置に関するものである。
【背景技術】
【０００２】  例えば山間部に設置した太陽光発電装置における太陽光パネルの面に爾が降った際、地面の同じ個所に雨水が落ちるため、地盤が緩くなってしまうことがある。【０００３】  そのため雨水を完全回取する雨樋の設置が肝要となる。【０００４】  特許文献１には、架台と、第１辺および該第１辺に対向する第２辺を有し、前記第１辺が前記第２辺よりも下方に位置するように傾斜して前記架台上に配置された矩形状の太陽電池パネルと、前記第１辺よりも下方に位置し、前記架台に取り付けられた集水部材と、を備え、前記集水部材は、前記第１辺に沿って延びる凹部を有する第１集水部と、前記第１辺に沿って並んで前記第１集水部に設けられた複数の第１排水部と、を有し、太陽電池パネル上の雨水を集水して、設置面に対して分散させて排水するようにした太陽電池装置が開示されている。【０００５】  しかし、特許文献１の太陽電池装置の場合、前記集水部材は一段の樋構造であり、このような構成の場合、太陽電池装置を大規模化した場合太陽電池パネル面上に降り注ぎ流下する大量の雨水を円滑に処理することは困難であると推定される。
【先行技術文献】
【特許文献】
【０００６】
【特許文献１】特開２０１６−２０８７１６号公報
【考案の概要】
【考案が解決しようとする課題】
【０００７】  本考案は、上記事情に鑑みて、二段の樋構造を採用し、太陽光パネルが数多く大規模な場合であっても太陽光パネル面上に降り注ぎ流下する雨水を円滑に処理することが可能な太陽光パネルの雨水回収装置を提供するものである。
【課題を解決するための手段】
【０００８】  本考案に係る太陽光パネルの雨水回収装置は。設置面に配置した架台と、前記架台上に傾斜配置された太陽光パネルと、前記太陽光パネル面を流下する雨水の流出側に配置した雨水用の樋ユニットと、を有し、前記樋ユニットは、前記架台により支持され前記太陽光パネルに沿って配置されるとともに、前記太陽光パネル面を流下する雨水を受水し、樋底部の途中位置に設けた単数又は複数の穴部から雨水を下方に流下させる上樋と、前記上樋の下方に配置され、前記上樋の穴部から流下する雨水を受水するとともに、長さ方向最頂部からその両側端の長さ方向最低部に向かって双方向下降傾斜形状とし、長さ方向最低部側から雨水を放水する構造の下樋と、前記下樋を、定位置で支持する下樋支持部と、を具備し、前記上樋を経て下樋から放水される雨水を貯水池又は排水用側溝に向け送水するようにしたことを最も主要な特徴とする。
【考案の効果】
【０００９】  請求項１記載の考案によれば、二段の樋構造を採用し、太陽光パネル面上に降り注ぎ流下する雨水を円滑に処理することが可能な太陽光パネルの雨水回収装置を提供することができる。【００１０】  請求項２記載の考案によれば、二段の樋構造を採用し、太陽光パネルが数多く大規模な構成の場合であっても太陽光パネル面上に降り注ぎ流下する大量の雨水を円滑に処理することが可能な太陽光パネルの雨水回収装置を提供することができる。【００１１】  請求項３記載の考案によれば、比較的雨量の少ない場所向けに設置された太陽光発電手段用として太陽光パネルの面上を流下する雨水を円滑に処理することが可能な太陽光パネルの雨水回収装置を提供することができる。【００１２】  請求項４記載の考案によれば、請求項１又は２のいずれかに記載の考案の効果を奏し、かつ、前記上樋、下樋は、弧状断面形状又は角形断面形状で略同一形状に形成されていることから、上樋、下樋製作時のコスト低減を図ることもできる太陽光パネルの雨水回収装置を提供することができる。【００１３】  請求項５記載の考案によれば、求項１又は２のいずれかに記載の考案の効果を奏し、かつ、前記上樋と、前記太陽光パネルの下側端辺との間に隙間が生じる場合、当該隙間を隙間遮蔽部材で閉塞する構成としているので、上樋と、太陽光パネルの下側端辺との間における漏水防止を図ることができる太陽光パネルの雨水回収装置を提供することができる。【００１４】    請求項６記載の考案によれば、請求項１、２、５のいずれかに記載の考案の効果を奏し、かつ、上樋は、前記太陽光パネルの下側端辺に沿う側壁部よりも反対側の側壁部に、前記太陽光パネルの下側端辺側に向けて曲げた形態の突片部を備えているので、雨量が多い場合でも上樋からの雨水の溢出防止を図ることができる太陽光パネルの雨水回収装置を提供することができる。【００１５】
【００１６】請求項７記載の考案によれば、請求項１乃至４のいずれかに記載の考案の効果を奏し、かつ、下樋支持部を構成する下樋支持基台は、設置箇所の土中埋め込み型又は設置箇所に対するコンクリート固め設置型に構成しているので、下樋を確実、安定に支持することが可能な太陽光パネルの雨水回収装置を提供することができる。
【図面の簡単な説明】
【００１７】
【図１】図１は本考案の実施例１に係る太陽光パネルの雨水回収装置の全体構成を示す概略斜視図である。
【図２】図２は本実施例１に係る太陽光パネルの雨水回収装置における樋ユニットの一例の概略断面図である。
【図３】図３は本実施例１に係る太陽光パネルの雨水回収装置における樋ユニットの他例の概略断面図である。
【図４】図４は本実施例１に係る太陽光パネルの雨水回収装置における上樋の一部を示す概部分平面図である。
【図５】図５は本実施例１に係る太陽光パネルの雨水回収装置における下樋支持部を構成する下樋支持基台の設置箇所への土中埋め込み型の構成を示す概略部分断面図である。
【図６】図６は本実施例１に係る太陽光パネルの雨水回収装置における下樋支持部を構成する下樋支持基台の設置箇所へのコンクリート固め設置型の構成を示す概略部分断面図である。
【図７】図７は本考案の実施例２に係る太陽光パネルの雨水回収装置の全体構成を示す概略斜視図である。
【図８】図８は本考案の実施例１の変形例に係る太陽光パネルの雨水回収装置の全体構成を示す概略斜視図である。
【考案を実施するための形態】
【００１８】  本考案は、二段の樋構造を採用し、太陽光パネルが数多く大規模な場合であっても太陽光パネル面上に降り注ぎ流下する大量の雨水を円滑に処理することが可能な太陽光パネルの雨水回収装置を提供するという目的を、設置面に配置した架台と、前記架台上にＸ方向に３６枚、Ｙ方向に４枚、合計１４４枚の傾斜列設配置された太陽光パネルと、前記太陽光パネル面を流下する雨水の流出側に配置した雨水用の樋ユニットと、を有し、前記樋ユニットは、前記架台により支持され最下部のＸ方向３６枚の太陽光パネルに沿って配置されるとともに、前記各太陽光パネル面を流下する雨水を受水し、樋底部の途中位置に設けた単数又は複数の穴部から雨水を下方に流下させる上樋と、前記上樋の下方に配置され、前記上樋の穴部から流下する雨水を受水するとともに、長さ方向最頂部からその両側端の長さ方向最低部に向かって双方向下降傾斜形状とし、長さ方向最低部側から雨水を放水する構造を長さ方向に３連設し、長さ方向両端部側の２個所、及び、長さ方向中間部の２個所の合計４箇所から雨水を放水する構造の下樋と、前記下樋を、定位置で支持する下樋支持部と、具備し、前記上樋を経て下樋から放水される雨水を貯水池又は排水用側溝に向け送水するようにした構成により実現した。
【実施例】
【００１９】  以下に図面を参照して、本考案の実施例に係る太陽光パネルの雨水回収装置について詳細に説明する。
【実施例１】
【００２０】  本考案の実施例１に係る太陽光パネルＳの雨水回収装置１について図１乃至図６を参照して説明する。【００２１】  尚、本実施例１においては設置面２におけるＸ方向、Ｙ方向に関する方向性を図１に示すように定義して以下の説明を行う。【００２２】  本実施例１に係る太陽光パネルＳの雨水回収装置１は、図１に示すように、例えば山間部の傾斜地のような設置面２に配置した架台１１と、前記架台１１上においてＸ方向に１２枚、Ｙ方向に４枚、合計４８枚列設状態に傾斜配置された太陽光パネルＳと、前記太陽光パネル面を流下する雨水の流出側に配置した雨水用の樋ユニット２１と、を有している。【００２３】  前記架台１１は、所要数の架台支持台１２を設置面２上に間隔をもって点在配置し、各架台支持台１２から所要数の架台支柱１３を上方に突設配置し、をさらに各架台支柱１３の上端部に架台板１４を取り付けて構成し、この架台板１４上に合計４８枚の太陽光パネルＳを列設配置することにより構成している。【００２４】  前記各太陽光パネルＳの隣接する領域（目地領域）にはシーリング加工を施し、又は、アルミニウム材で目張り加工を施して、漏水を防止している。【００２５】  次に、前記樋ユニット２１の各部について図２乃至図６をも参照して説明する。【００２６】  前記樋ユニット２１は、前記架台１１により支持された前記各太陽光パネルＳに沿って配置されるとともに、前記太陽光パネルＳの面（上面）を流下する雨水Ｗ（図１において白抜き矢印で示す）を受水し、樋底部の途中位置に設けた図４に示すような複数又は単数の穴部３２、樋底部から下方に突設した複数又は単数の放水筒３３から雨水Ｗを下方に流下させる断面円弧状（又は角形状）とした上樋３１と、前記上樋３１の下方に配置され、前記上樋３１の穴部３２から流下する雨水Ｗを受水するとともに、長さ方向最頂部からその両側端の長さ方向最低部に向かって双方向下降傾斜形状とし、長さ方向最低部側から放水筒体４２を経て雨水Ｗを放水する構造の下樋４１と、前記下樋４１を定位置で支持する下樋支持台５２、下樋支持支柱５３を具備する下樋支持部５１と、具備し、前記上樋３１を経て下樋４１の長さ方向最低部側に設けた放水筒体４２から放水される雨水Ｗを図示しないが貯水池又は排水用側溝に向け送水するように構成している。【００２７】  尚、前記上樋３１は、前記下樋支持部５１の荷重負担軽減のため、図２に示すように、前記架台１１における架台支柱１３と連結部材３４により連結され、これにより、前記架台１１により支持されるように構成している。【００２８】  前記樋ユニット２１についてさらに詳述する。【００２９】    前記上樋３１においては、この上樋３１の前記太陽光パネルＳの下側端辺（前記架台板１４の下側端辺１４ａ）に沿う弧状を呈する側壁部３２ａよりも反対側の弧状を呈する側壁部３２ｂの上部に位置する前記太陽光パネルの下側端辺側に向けて曲げた形態（忍び返し形態）の突片部３２ｃを形成し、これにより、前記各太陽光パネルＳの上面を流下する雨水Ｗの流量が大量であるような場合に、その雨水Ｗが上樋３１の側壁部３２ｂから外方に（図１において手前側）に溢出することを防止している。【００３０】  また、前記上樋３１においては、この上樋３１の前記太陽光パネルＳの下側端辺（前記架台板１４の下側端辺１４ａ）に沿う弧状を呈する側壁部３２ａ突出端と前記架台板１４の下側端辺１４ａとの間に隙間３５が生じる場合、当該隙間３５を例えば防水ゴム材等からなる隙間遮蔽部材３６で閉塞する構成とし、前記太陽光パネルＳの上面を流下する雨水Ｗが円滑に下樋４１内に流れるようにしている。【００３１】  さらに付言すると、太陽光パネルＳの配列がＸ方向に長く面積が広い広い場合、雨水量が大量に増えるため、高所から低所に流れる雨水Ｗの性質上、排水を効率よくするためには上樋３１の勾配を忖ける必要があるが、太陽光パネルＳの配列が長い場合、上樋３１も必然的に長くなり、排水溝近くでは太陽光パネルＳの端面と上樋３１との間に大きな隙間３５ができてしまい、雨水Ｗの完全回収が難錐しくなることから前記隙間遮蔽部材３６を含め樋二段構造を採用するものである。【００３２】  図３は前記樋ユニット２１の変形例である樋ユニット２１Ａを示すものであり、この樋ユニット２１Ａは、上樋３１Ｃ、下樋４１Ｃをいずれも断面角形状に構成し、前記上樋３１Ｃにおける両側壁部３２ａ１、３２ｂ１のうち、この上樋３１Ｃの前記太陽光パネルＳを支持する架台板１４の下側端辺１４ａに沿う側壁部３２ａ１よりも反対側の側壁部３２ｂ１の垂直方向の寸法を図３に示すように大きく設定して、これにより、前記各太陽光パネルＳの上面を流下する雨水Ｗの流量が大量であるような場合に、その雨水Ｗが上樋３１Ｃの側壁部３２ｂ１から外方に（図１において手前側）に溢出することを防止している。【００３３】  尚、前記樋ユニット２１Ａの場合においても、必要に応じて隙間遮蔽部材３６を配置することは、前記樋ユニット２１の場合と同様である。【００３４】  図４は、前記上樋３１における穴部３２の形状及び間隔の形成例を示すものであり、例えば穴部３２の形状は長径１５ｃｍ程度のやや大きめの楕円形状とした例を、また、穴部３２の配置間隔は約１ｍ間隔とした例を挙げることができる。【００３５】  これにより、前記上樋３１の穴部３２が例えば枯葉等のゴミ類で詰まり、雨水Ｗが溢出する事を回避することが可能となる。【００３６】  図５、図６は、前記下樋支持部５１を構成する下樋支持基台５２の設置構成例を示すものであり、図５に示すように前記下樋支持基台５２を設置面２内への土中埋め込み型としたり、図６に示すように前記下樋支持基台５２を設置面２上にコンクリート塊５４を設置しこのコンクリート塊５４により前記下樋支持基台５２を支持するコンクリート固め設置型とする例を挙げることこができる。【００３７】  このような前記下樋支持部５１における下樋支持基台５２の設置構成により、前記下樋４１を確実かつ安定して支持することができる。後述する実施例２、実施例１の変形例においても同様である。【００３８】  前記上樋３１、下樋４１、上樋３１Ｃ、下樋４１Ｃは、弧状断面形状、又は、角形断面形状で略同一形状に形成し、これにより、前記上樋３１、下樋４１、上樋３１Ｃ、下樋４１Ｃの製作時の製作コストの低減を図っている。
【実施例２】
【００３９】  次に、本考案の実施例２に係る太陽光パネルＳの雨水回収装置１Ａについて図７を参照して説明する。【００４０】  尚、本実施例２に係る太陽光パネルＳの雨水回収装置１Ａにおいて、実施例１の場合と同一の要素については同一の符号を付し、その詳細説明は省略する。【００４１】  本実施例２に係る太陽光パネルＳの雨水回収装置１Ａは、基本的構成は実施例１の場合と同様であるが、全体構成を大規模化し、架台１１Ａ上にＸ方向に３６枚、Ｙ方向に４枚、合計１４４枚の太陽光パネルＳを傾斜列設配置したこと、樋ユニット２１Ｂとして、前記架台１１Ａにより支持され最下部のＸ方向３６枚の太陽光パネルＳに沿って配置されるとともに、前記各太陽光パネルＳ面を流下する雨水を受水し、樋底部の途中位置に設けた複数の穴部３２（図７においては図示せず）から雨水を下方に流下させる上樋３１Ａと、前記上樋３１Ａの下方に配置され、前記上樋３１Ａの各穴部から流下する雨水を受水するとともに、長さ方向最頂部からその両側端の長さ方向最低部に向かって双方向下降傾斜形状とし、長さ方向最低部側から雨水Ｗを放水する構造を長さ方向に３連設し、長さ方向両端部側の２個所、及び、長さ方向中間部の２個所の合計４箇所に放水筒体４２を配置して、各放水筒体４２から雨水Ｗを図示しないが貯水池又は排水用側溝に向け送水するように構成の下樋４１Ａと、前記下樋４１Ａを定位置で支持する下樋支持部５１Ａと、具備する構成としたこと、が特徴である。【００４２】  細部の構成要素の構成及び作用効果は実施例１の場合と同様である。【００４３】  本実施例２に係る太陽光パネルＳの雨水回収装置１Ａによれば、架台１１Ａ上にＸ方向に３６枚、Ｙ方向に４枚、合計１４４枚の太陽光パネルＳを傾斜列設配置した大規模化した太陽光発電手段において、大量の太陽光パネルＳの面上を流下する大量の雨水を確実に回収することができる。【００４４】（実施例１の変形例）
本考案の実施例１の変形例に係る太陽光パネルＳの雨水回収装置１Ｂについて図８を参照して説明する。
尚、実施例１の変形例に係る太陽光パネルＳの雨水回収装置１Ｂにおいて、実施例１の場合と同一の要素については同一の符号を付し、その詳細説明は省略する。【００４５】    実施例１の変形例に係る太陽光パネルＳの雨水回収装置１Ｂは、基本的構成は実施例１の場合と同様であるが、架台板１４の設置面２からの設置高さＨ２が実施例１の場合に比べ低い（実施例１の場合にはＨ１：Ｈ２＜Ｈ１）構成を採用するとともに、樋ユニット２１Ｂとして、１段構成構成を採用したことが特徴である。【００４６】  細部の構成要素の構成及び作用効果は実施例１の場合と同様である。【００４７】  すなわち、実施例１の変形例に係る太陽光パネルＳの雨水回収装置１Ｂにおいては、実施例１の下樋４１に近似した構成ではあるが最下部の各太陽光パネルＳ面に沿って配置されるとともに、前記各太陽光パネルＳ面を流下する雨水Ｗを受水し、両端部側に設けた放水筒体４２から前記雨水Ｗを図示しないが貯水池又は排水用側溝に向け送水する平坦構造の下樋４１Ｂと、前記下樋４１Ｂを定位置で支持する下樋支持部５１Ｂと、を具備する構成としている。【００４８】  実施例１の変形例に係る太陽光パネルＳの雨水回収装置１Ｂによれば、比較的雨量の少ない場所向けに設置された太陽光発電手段用として太陽光パネルＳの面上を流下する雨水Ｗを確実に回収することができる。【００４９】  以上説明した実施例１、２、及び、実施例１の変形例における太陽光パネルＳの配列個数は各々一例であり、特に限定するものでないことはもちろんである。【００５０】  以上説明した本実施例１、２、及び、実施例１の変形例に係る太陽光パネルＳの雨水回収装置１、１Ａ、１Ｂによれば、二段の樋構造又は一段の樋構造を採用し、これにより、太陽光パネルＳが列設個数が少ない小規模の場合はもちろんのこと、太陽光パネルＳの列設個数が多く大規模な場合であっても、雨雲６１から各太陽光パネルＳの上面に降り注ぎ流下する大量の又は少量の雨水Ｗを円滑に集水処理し回収することが可能となる。
【産業上の利用可能性】
【００５１】  本考案の太陽光パネルの雨水回収装置は、既述したような山間地に構築する場合はもちろんのこと、市街地や丘陵地に構築する場合においても有効に利用可能である。
【符号の説明】
【００５２】    １    太陽光パネルの雨水回収装置
１Ａ  太陽光パネルの雨水回収装置
１Ｂ  太陽光パネルの雨水回収装置
２    設置面
１１    架台
１１Ａ  架台
１２    架台支持台
１３    架台支柱
１４    架台板
１４ａ  下側端辺
２１    樋ユニット
２１Ａ  樋ユニット
２１Ｂ  樋ユニット
２１Ｃ  樋ユニット
３１    上樋
３１Ａ  上樋
３１Ｃ  上樋
３２    穴部
３２ａ  側壁部
３２ａ１側壁部
３２ｂ  側壁部
３２ｂ１側壁部
３２ｃ  突片部
３３    放水筒
３４    連結部材
３５    隙間
３６    隙間遮蔽部材
４１    下樋
４１Ａ  下樋
４１Ｂ  下樋
４１Ｃ  下樋
４２    放水筒体
５１    下樋支持部
５１Ａ  下樋支持部
５１Ｂ  下樋支持部
５２    下樋支持基台
５３    下樋支持支柱
５４    コンクリート塊
６１    雨雲
Ｓ    太陽光パネル
Ｗ    雨水